(57)【特許請求の範囲】
【請求項１】
イヤホンであって：
ケーシングであって、該ケーシング内に収容キャビティが形成されており、該ケーシングには、前記収容キャビティと接続する第１の取り付け孔が設けられている、ケーシング；
取り付け板であって、前記収容キャビティ内に固定して取り付けられており、該取り付け板の、前記第１の取り付け孔に隣接する一端には、音伝達溝が設けられている、取り付け板；及び
音案内チューブであって、該音案内チューブの一端は可動端であり、該音案内チューブの他端は取り付け端であり、前記可動端及び前記取り付け端を通る音案内チャネルが前記音案内チューブ内に設けられ、
前記可動端は、手動で前記第１の取り付け孔内に据え付けるか又は前記第１の取り付け孔から取り外すことができるように構成されており、
前記可動端が前記第１の取り付け孔内に据え付けられると、前記音案内チャネルは前記音伝達溝と接続し、前記可動端は、前記音案内チューブが前記ケーシングに対して音伝達溝と接続しつつ相対的に回転することを可能にするように前記第１の取り付け孔内で回転することができる、音案内チューブ
を備える、イヤホン。
【請求項２】
第１の取り付けスロット及が、前記取り付け板の、前記第１の取り付け孔から離れた一端に配置されており、第２の取り付けスロットが、前記取り付け板の、前記第１の取り付け孔から離れた一端に更に配置されており、
第１の音伝達孔が前記第１の取り付けスロットの底部に配置されており、前記第１の音伝達孔は前記音伝達溝と接続し、第２の音伝達孔が前記第２の取り付けスロットの底部に配置されており、前記第２の音伝達孔は前記音伝達溝と接続している、請求項１に記載のイヤホン。
【請求項３】
前記イヤホンは：前記ケーシングの、前記第１の取り付け孔から離れた端に固定して接続されているカバー板を更に備える、請求項２に記載のイヤホン。
【請求項４】
前記イヤホンは：前記カバー板の、前記ケーシングから離れた端に取り付けられているとともに、手動で前記カバー板に取り付けるか又は前記カバー板から取り外すことができる装飾板を更に備える、請求項３に記載のイヤホン。
【請求項５】
前記イヤホンは：前記取り付け端に取り外し可能にスリーブ接続されているイヤプラグスリーブを更に備える、請求項１又は２に記載のイヤホン。
【発明の詳細な説明】
【技術分野】
【０００１】
本発明は、視聴覚器具の分野に関し、特にイヤホンに関する。
【背景技術】
【０００２】
概して、生産の便宜上、左側イヤホン及び右側イヤホンの形状並びにサイズは、インイヤ型イヤホンの場合には一定で一貫性があり、この結果、耳に入る左右のイヤホンの角度は同じになる。しかし、異なる人々であれば異なる外耳道構造を有し、同じ人であっても左右の外耳道が異なる。したがって、左右のイヤホンの同じ進入角度は、イヤホンを装着したときに左右の外耳道において合致しない感覚を生じさせる可能性があり、それによって、装着者の実際の経験に影響を与える。
【発明の概要】
【発明が解決しようとする課題】
【０００３】
上記の問題を解決するために、本発明は、調整可能な耳内角度を有するイヤホンを提供する。
【課題を解決するための手段】
【０００４】
本発明は、以下の技術的解決策によって実現される：
【０００５】
本発明は、イヤホンであって：
ケーシングであって、ケーシング内に収容キャビティが形成されており、ケーシングには、収容キャビティと接続する第１の取り付け孔が設けられている、ケーシング；
取り付け板であって、収容キャビティ内に固定して取り付けられており、第１の取り付け孔が収容キャビティと接続することを完全に阻止し；取り付け板の、第１の取り付け孔に隣接する一端には、音伝達溝が設けられている、取り付け板；及び
音案内チューブであって、音案内チューブの一端は可動端であり、音案内チューブの他端は取り付け端であり、可動端及び取り付け端を通る音案内チャネルが音案内チューブ内に設けられているため、可動端部分が第１の取り付け孔内に据え付けられると、音案内チャネルは音伝達溝と接続し、可動端は、音案内チューブがケーシングに対して相対的に回転することを可能にするように第１の取り付け孔内で回転することができ；音案内チューブは、手動で第１の取り付け孔内に据え付けるか又は第１の取り付け孔から取り外すことができる、音案内チューブ
を備える、イヤホンを提供する。
【０００６】
加えて、第１の取り付けスロットが、取り付け板の、第１の取り付け孔から離れた一端に配置されており、第１の音伝達孔が第１の取り付けスロットの底部に配置されており、第１の音伝達孔は音伝達溝と接続している。
【０００７】
加えて、第２の取り付けスロットが、取り付け板の、第１の取り付け孔から離れた一端に更に配置されており、第２の音伝達孔が第２の取り付けスロットの底部に配置されており、第２の音伝達孔は音伝達溝と接続している。
【０００８】
加えて、イヤホンは：ケーシングの、第１の取り付け孔から離れた端に固定して接続されているカバー板を更に備える。
【０００９】
加えて、イヤホンは：カバー板の、ケーシングから離れた端に取り付けられているとともに、手動でカバー板に取り付けるか又はカバー板から取り外すことができる装飾板を更に備える。
【００１０】
加えて、イヤホンは：取り付け端に取り外し可能にスリーブ接続されているイヤプラグスリーブを更に備える。
【００１１】
本発明の有利な効果は以下の通りである：
【００１２】
本発明によって提供されるイヤホンは、耳内角度を調整することができ、これは、装着の快適さを高め、それによって、イヤホンの音質を高める。加えて、音案内チューブは、手動でケーシングから取り外すか又はケーシングに据え付けることができ、これは、ユーザが音案内チューブを配置し直すか又はイヤホンを清潔にするために非常に便利である。
【図面の簡単な説明】
【００１３】
【図１】本発明によって提供されるイヤホンの断面図である。
【図２】本発明によって提供されるイヤホンの取り付け板の斜視図である。
【図３】本発明によって提供されるイヤホンの斜視図である。
【発明を実施するための形態】
【００１４】
本発明の技術的解決策をよりはっきりと完全に説明するために、添付の図面と併せて本発明を以下の通り更に記載する。
【００１５】
図１〜図３を参照されたい。本発明は、イヤホンであって：
ケーシング１０であって、ケーシング１０内に収容キャビティ１１が形成されており、ケーシング１０には、収容キャビティ１１と接続する第１の取り付け孔１２が設けられている、ケーシング１０；
取り付け板２０であって、収容キャビティ１１内に固定して取り付けられており、第１の取り付け孔１２が収容キャビティ１１と接続することを完全に阻止し；取り付け板２０の、第１の取り付け孔１２に隣接する一端には、音伝達溝２１が設けられている、取り付け板２０；及び
音案内チューブ３０であって、音案内チューブ３０の一端は可動端３１であり、音案内チューブ３０の他端は取り付け端３２であり、可動端３１及び取り付け端３２を通る音案内チャネル３３が音案内チューブ３０内に設けられているため、可動端３１部分が第１の取り付け孔１２内に据え付けられると、音案内チャネル３３は音伝達溝２１と接続し、可動端３１は、音案内チューブ３０がケーシング１０に対して相対的に回転することを可能にするように第１の取り付け孔１２内で回転することができ；音案内チューブ３０は、手動で第１の取り付け孔１２内に据え付けるか又は第１の取り付け孔１２から取り外すことができる、音案内チューブ３０
を備える、イヤホンを提供する。
【００１６】
本発明の実施形態では、ユーザがイヤホンを装着すると、イヤホンの耳内角度は、音案内チューブ３０を回転させることによって調整され、最適な装着の快適さを達成し、それによって、イヤホンの音質を高め；加えて、音案内チューブ３０は、手動で第１の取り付け孔１２内に取り付けることができるか又は第１の取り付け孔１２から取り外すことができ、ユーザは、実際の状況に従って音案内チューブ３０を配置し直すことができ、これは、イヤホンの装着の快適さ及び音質を最大限まで高める。本発明によって提供されるイヤホンは、イヤホンの耳内角度を調整することができ、これは、装着の快適さを高め、それによって、イヤホンの音質を高める。加えて、音案内チューブ３０は、手動でケーシング１０から取り外すか又はケーシング１０に据え付けることができ、これは、ユーザが音案内チューブ３０を配置し直すか又はイヤホンを清潔にするために非常に便利である。
【００１７】
図１及び図２を参照されたい。第１の取り付けスロット２４が、取り付け板２０の、第１の取り付け孔１２から離れた一端に配置されており、第１の音伝達孔２２が第１の取り付けスロット２４の底部に配置されており、第１の音伝達孔２２は音伝達溝２１と接続している。第２の取り付けスロット２５が、取り付け板２０の、第１の取り付け孔１２から離れた一端に更に配置されており、第２の音伝達孔２３が第２の取り付けスロット２５の底部に配置されており、第２の音伝達孔２３は音伝達溝２１と接続している。
【００１８】
本発明の実施形態では、第１の取り付けスロット２４及び第２の取り付けスロット２５は、音発生ユニット等のイヤホンの他の構成要素を取り付けるために使用され；収容キャビティ１１内で生じる音は、第１の音伝達孔２２及び第２の音伝達孔２３を通って音伝達溝２１に伝達され、次に、音伝達溝２１によって音案内チャネル３３に伝達され、最終的に、音案内チャネル３３を通ってイヤホンの外に伝達され、装着者の外耳道に入る。
【００１９】
図１及び図３を参照されたい。イヤホンは：ケーシング１０の、第１の取り付け孔１２から離れた端に固定して接続されているカバー板４０を更に備える。イヤホンは：カバー板４０の、ケーシング１０から離れた端に取り付けられているとともに、手動でカバー板４０に取り付けるか又はカバー板４０から取り外すことができる装飾板５０を更に備える。
【００２０】
本発明の実施形態では、カバー板４０は、ケーシング１０に固定して接続されており、カバー板は、収容キャビティ１１内に据え付けられる構成要素を効果的に保護することができる。装飾板５０は、手動でカバー板４０に取り付けるか又はカバー板４０から取り外すことができる。したがって、ユーザは、自身の好みに従って、ユーザの個々の必要性を満たすことができる異なるスタイルの装飾板５０を配置し直すことができる。
【００２１】
図１及び図３を参照されたい。イヤホンは：取り付け端３２に取り外し可能にスリーブ接続されているイヤプラグスリーブ６０を更に備える。
【００２２】
本発明の実施形態では、イヤプラグスリーブ６０は、柔らかいゴム製のイヤプラグ又はスポンジ製のイヤプラグである。ユーザがイヤホンを装着すると、イヤプラグスリーブ６０は、イヤホン装着の快適さを高めるとともに良好な防音効果を達成するために、外耳道を満たすように圧縮される。
【００２３】
当然ながら、本発明は複数の他の実施形態を更に有する。本発明の実施形態に基づいて、いかなる創造的な作業も伴うことなく当業者によって得られる他の実施形態が、本発明の保護範囲内にある。
【図１】
0006914367.tif 000002
【図２】
0006914367.tif 000003
【図３】
0006914367.tif 000004